(57)【要約】  本発明は肺内の病変の位置を表示する肺内標記物に関するものであり、前記肺内標記物は圧縮装置が撤去されるとき直径方向に膨張することにより標記をする膨張構造を含む。本発明の肺内標記物は膨張構造を含む。肺を診断して病変の位置を検出しようとするとき、通用のガイド管または専用の運輸装置により肺内標記物を病変の位置に送入する。病変の位置において膨張構造が膨張すると肺内標記物はこの位置に固定される。したがって、外科手術をするとき、外科医は病変の位置を正確に迅速に把握し、手術の時間を短縮させ、切除の面積を小さくし、患者の術後の生活の質を向上させることができる。【選択図】図１
2019520922.tif 000002
【特許請求の範囲】
【請求項１】
肺内の病変の位置を表示する肺内標記物であって、前記肺内標記物は圧縮装置が撤去されるとき直径方向に膨張することにより標記をする膨張構造を含むことを特徴とする肺内標記物。
【請求項２】
前記膨張構造は形状記憶合金により編まれるものであることを特徴とする請求項１に記載の肺内標記物。
【請求項３】
前記膨張構造は平凸レンズのような形状を有していることを特徴とする請求項１または２に記載の肺内標記物。
【請求項４】
前記膨張構造は両凸レンズのような形状を有していることを特徴とする請求項１または２に記載の肺内標記物。
【請求項５】
前記圧縮装置の放出端から離れている前記膨張構造の遠端端面には１個の収束端が形成されていることを特徴とする請求項４に記載の肺内標記物。
【請求項６】
前記圧縮装置の放出端に近付いている前記膨張構造の近端端面には１個の収束端が形成されていることを特徴とする請求項５に記載の肺内標記物。
【請求項７】
前記膨張構造は球形であることを特徴とする請求項２に記載の肺内標記物。
【発明の詳細な説明】
【技術分野】
【０００１】
本発明は、医療機器の分野に属し、特に肺内標記物に関するものである。
【背景技術】
【０００２】
中国の工業化の発展に伴う環境の汚染、生活のストレス、吸煙等の不良の生活習慣により、肺の疾病、特に肺がんの発病率が顕著に増加している。画像診断機器の発展に伴い、特に低線量螺旋ＣＴ装置が幅広く応用されることにより、何の症状もない人の早期の肺がんまたは原因不明の結節を容易に検出することができる。早期の病変に対して外科手術は根治に向かう最高の治療方法である。しかしながら、早期の病変は、サイズが小さく、病変の密度が正常の肺組織と類似する特徴を有しているので、手術をするとき病変の位置を容易に検出することができない。外科手術をするとき病変の周囲の大きな範囲を切除することにより、病変が切除されることを確保することができるが、そのような手術方法により患者の術後の生活の質が大幅に低下し、患者の術後の寿命が短くなるおそれがある。したがって、肺の結節の位置をより有効に安全に検出ことができる手段は臨床において不可欠なものである。
【発明の概要】
【発明が解決しようとする課題】
【０００３】
本発明の目的は、従来の技術の欠点を克服するため肺内標記物を提供し、従来の外科手術において病変の周囲の大きな範囲を切除することにより病変の切除を確保することができるが、それにより患者の術後の生活の質と患者の術後の寿命が大幅に低下する問題等を解決しようとすることにある。
【課題を解決するための手段】
【０００４】
本発明の目的を実現するために次の技術的事項を提供する。
本発明の肺内の病変の位置を表示する肺内標記物であって、前記肺内標記物は圧縮装置が撤去されるとき直径方向に膨張することにより標記をする膨張構造を含む。
【０００５】
本発明の肺内標記物は膨張構造を含む。肺の診断により病変の位置を検出しようとするとき、圧縮装置（例えば通用のガイド管または専用の運輸装置）により肺内標記物を病変の位置に送入する。病変の位置において膨張構造が膨張することにより肺内標記物はこの位置に固定される。この場合、外科手術をするとき、外科医は指の感覚により病変の位置を正確に迅速に把握し、手術の時間を短縮させ、切除の面積を小さくすることができる。それにより患者の術後の生活の質を向上させ、患者の術後の寿命が短くなることを避けることができる。
【０００６】
本発明の肺内標記物の改良例において、前記膨張構造は形状記憶合金により編まれるものである。
【０００７】
本発明の肺内標記物の改良例において、前記膨張構造は平凸レンズのような形状を有している。
【０００８】
本発明の肺内標記物の改良例において、前記膨張構造は両凸レンズのような形状を有している。
【０００９】
本発明の肺内標記物の改良例において、前記圧縮装置の放出端から離れている前記膨張構造の遠端端面には１個の収束端が形成されている。
【００１０】
本発明の肺内標記物の改良例において、前記圧縮装置の放出端に近付いている前記膨張構造の近端端面には１個の収束端が形成されている。
【００１１】
本発明の肺内標記物の改良例において、前記膨張構造は球形である。
【図面の簡単な説明】
【００１２】
【図１】本発明の肺内標記物の第一実施例において膨張構造が膨張した後の構造を示す斜視表面図である。
【図２】本発明の肺内標記物の第一実施例において膨張構造が膨張する前の構造を示す図である。
【図３】本発明の肺内標記物の第一実施例において膨張構造が膨張した後の構造を示す側面図である。
【図４】本発明の肺内標記物の第一実施例において膨張構造が膨張した後の構造を示す表面図である。
【図５】本発明の肺内標記物の第一実施例において膨張構造が膨張した後の構造を示す斜視底面図である。
【図６】本発明の肺内標記物の第二実施例において膨張構造が膨張した後の構造を示す図である。
【図７】本発明の肺内標記物の第三実施例において膨張構造が膨張した後の構造を示す図である。
【図８】本発明の肺内標記物が肺内において標記の機能を奏することを示す図である。
【発明を実施するための形態】
【００１３】
以下、図面と具体的な実施例により本発明をより詳細に説明する。
【００１４】
本発明において提供する肺内標記物は肺内の病変の位置を表示することができるので、医者が手術をするとき病変の位置を迅速に検出することができる。本発明の肺内標記物は形状記憶合金により製作されかつ弾性を具備している膨張構造である。前記膨張構造は弾性を有しているので、圧縮装置（例えば通用のガイド管または専用の運輸装置）により膨張構造が圧縮された肺内標記物を輸送するとき、前記肺内標記物は棒状になる。肺内標記物を肺内に送入した後ガイド管を取り出すとき、形状記憶合金が元の形状に戻ろうとする特徴を有しておりかつ肺組織の密度が非常に小さいことにより、膨張構造は元の形状に自発的に戻りかつ病変の位置に挟まれるので、病変の位置を表示する作用を奏することができる。以下、図面により本発明の肺内標記物の構造を説明する。
【００１５】
図１を参照すると、この図面は本発明の肺内標記物の第一実施例において膨張構造が膨張した後の構造を示す斜視表面図である。以下、図１により本発明の肺内標記物の構造を説明する。
【００１６】
図１に示すとおり、本発明の肺内標記物は、肺内の病変の位置、例えば腫瘍、結節等の位置を表示する作用を奏する。前記肺内標記物は、圧縮装置が撤去されるとき自発的に膨張する特徴により病変の位置を表示する膨張構造１２を含む。前記膨張構造１２は、記憶の機能を有しているので、圧縮装置の放出端から放出されるときすなわち束縛力（すなわち外部圧力）が除去されるとき、元の形状に戻ることができる。膨張構造１２が膨張して元の形状に戻ることにより前記肺内標記物は肺内の病変の位置に挟まれ、病変の位置を表示することができる。
【００１７】
好ましくは、膨張構造１２は形状記憶合金により編まれるものである。膨張構造１２は網状に形成され、網状の膨張構造１２は一定に変形することができるので、束縛力が与えられるときその体積は小さくなり、容易に搬送することができる。束縛力が除去されるとき、体積は大きくなり、肺内の病変の位置に挟まれる。形状記憶合金はニッケル・チタン記憶合金であるか或いは弾性を具備するゴム材料であることができる。
【００１８】
膨張構造１２は両側に突出している両凸レンズのような形状を有することができる。膨張構造１２は片側に突出している平凸レンズのような形状を有することもできる。膨張構造１２の形状は球形、錐形等であることもできる。
【００１９】
図３ないし図５を一緒に参照する。本発明の第一実施例において、膨張した膨張構造１２は両側に突出している両凸レンズの形状を有している。前記膨張構造１２は２個の収束端１１を含み、２個の収束端１１は膨張構造１２の両側にそれぞれ形成されている。収束端１１は円柱状に形成されている。膨張構造１２は圧縮装置の放出端に近付いている近端端面と圧縮装置の放出端から離れている遠端端面とを含み、前記近端端面と遠端端面は対向するように形成される。好ましくは、２個の収束端１１は近端端面と遠端端面にそれぞれ形成される。
【００２０】
図２を参照すると、この図面は本発明の肺内標記物の第一実施例において膨張構造が膨張する前の構造を示す図である。以下、図２により本発明の肺内標記物の構造を説明する。
【００２１】
図２に示すとおり、膨張構造１２は膨脹する前に長手状になっている。前記長手状になっている膨張構造１２を患者の患部に容易に送入することができる。通用のガイド管または専用の運輸装置により膨張構造を患者の患部まで送入することができる。前記膨張構造１２は弾性を有している。
【００２２】
肺内標記物は収束端１１により専用の運輸装置に機械的に連結され、専用の運輸装置により肺内標記物を患者の患部まで送入することができる。専用の運輸装置と肺内標記物の収束端１１との間の連結を外すことにより、肺内標記物を肺の病変の位置に固定させることができる。束縛がなくなると肺内標記物の膨張構造１２は、最初の状態に膨張し、肺の病変の位置に挟まれることにより、病変の位置を表示することができる。
【００２３】
図６を参照すると、この図面は本発明の肺内標記物の第二実施例において膨張構造が膨張した後の構造を示す図である。以下、図６により本発明の肺内標記物の第二実施例について説明をする。
【００２４】
図６に示すとおり、第二実施例の肺内標記物の構造と第一実施例の構造の相違点は、膨張構造１２が膨張するとき平凸レンズのような形状を有し、前記膨張構造１２は１個の収束端１１を含み、前記収束端１１は圧縮装置の放出端から離れている遠端端面に形成されることにある。膨張構造１２と収束端１１が形成されている遠端端面と対向する近端端面は平面状である。膨張構造１２は膨脹する前に長手状になっているので、容易に搬送することができる。膨張構造１２は記憶の機能を有しているので、束縛力が除去されるとき元の形状に戻ることができる。肺内標記物を肺の病変の位置に送入するとき、膨張構造１２は膨張して平凸レンズのような形状に膨張することにより、肺内標記物は肺の病変の位置に挟まれる。したがって、医者が手術をするとき、肺内標記物により病変の位置を迅速に検出し、手術の利便性を向上させることができる。
【００２５】
図７に示すとおり、第三実施例に係る肺内標記物は球形形状の膨張構造１２を有し、前記肺内標記物は膨張するとき網状の球体になる。
【００２６】
以下、本発明の肺内標記物の作成と使用の過程について説明する。
【００２７】
以下、ニッケル・チタン記憶合金を例として説明する。ニッケル・チタン記憶合金により網状の構造を編み、この形状を定型させる。定型された形状は最初の形状であり、この形状は、球形、平凸レンズまたは両凸レンズのような形状であることができるが、他の実施例においてその形状を錐形または他の形状にすることができる。定型された形状は膨脹している形状をいう。編まれた網状体の端部を収束することにより収束端を形成する。前記収束端は１個であるか或いは２個であることができる。上述したことにより肺内標記物が形成される。
【００２８】
肺内標記物を搬送するとき、専用の運輸装置により搬送することができる。本発明の肺内標記物と（心臓または血管の欠損を封じ込む）封じ込み手段は１個の専用の運輸装置を一緒に使用することができる。肺内標記物を搭載させようとするとき、膨張構造に力を与え、長手状に圧縮される膨張構造を運輸装置に乗せる。運輸装置の束縛により膨張構造が長手状を維持することができる。前記専用の運輸装置を患者の肺の病変の位置に送入し、運輸装置内の構造により肺内標記物を運輸装置の押出し管から押出す。その場合、膨張構造は肺の病変の位置に挟まれるので、病変の位置を表示することができる。図８に示すとおり、この図面は肺内標記物が肺の病変の位置を表示していることを示す図である。外科手術をするとき、外科医は指で肺の表面を触り、指で触感の変化を感じ、一般の肺組織と違っている異物（肺内標記物）の位置を検出することにより、病変の位置を迅速に把握し、切除の面積を小さくすることができる。低侵襲手術により、手術の時間を短縮させ、患者の回復の時間を短縮させ、術後の生活の質を大幅に向上させることができる。
【００２９】
以上、図面と実施例により本発明を詳細に説明してきたが、本技術分野の技術者は本発明の要旨を逸脱しない範囲において前記実施例を改良、変更することができる。前記実施例の技術的事項は本発明の保護範囲を限定するものでなく、本発明の保護範囲は特許請求の範囲が定めたことにより限定される。
【００３０】
（付記）
（付記１）
肺内の病変の位置を表示する肺内標記物であって、前記肺内標記物は圧縮装置が撤去されるとき直径方向に膨張することにより標記をする膨張構造を含むことを特徴とする肺内標記物。
【００３１】
（付記２）
前記膨張構造は形状記憶合金により編まれるものであることを特徴とする付記１に記載の肺内標記物。
【００３２】
（付記３）
前記膨張構造は平凸レンズのような形状を有していることを特徴とする付記１または２に記載の肺内標記物。
【００３３】
（付記４）
前記膨張構造は両凸レンズのような形状を有していることを特徴とする付記１または２に記載の肺内標記物。
【００３４】
（付記５）
前記圧縮装置の放出端から離れている前記膨張構造の遠端端面には１個の収束端が形成されていることを特徴とする付記４に記載の肺内標記物。
【００３５】
（付記６）
前記圧縮装置の放出端に近付いている前記膨張構造の近端端面には１個の収束端が形成されていることを特徴とする付記５に記載の肺内標記物。
【００３６】
（付記７）
前記膨張構造は球形であることを特徴とする付記２に記載の肺内標記物。
【図１】
2019520922.tif 000003
【図２】
2019520922.tif 000004
【図３】
2019520922.tif 000005
【図４】
2019520922.tif 000006
【図５】
2019520922.tif 000007
【図６】
2019520922.tif 000008
【図７】
2019520922.tif 000009
【図８】
2019520922.tif 000010
【国際調査報告】
2019520922.tif 000011
2019520922.tif 000012
2019520922.tif 000013
2019520922.tif 000014
2019520922.tif 000015
2019520922.tif 000016